(57)【要約】【課題】別部材を必要とせず、建物構成部材に天井下地材を高さ調節可能に容易に取り付けることができる天井吊り金具及び天井下地材支持構造を提供する。【解決手段】天井吊り金具は、天井下地材に取り付け可能な天井下地材取付部と、該天井下地材取付部上であって、建物構成部材に向く面に、高さ不動で回転可能に連結される回転部と、を備える。回転部は、建物構成部材に向かう軸線に沿って雌ねじが形成されている。【選択図】図１
2014169573.tif 000002
【特許請求の範囲】
【請求項１】
建物構成部材に天井下地材を取り付けるための天井吊り金具であって、
前記天井下地材に取り付け可能な天井下地材取付部と、
該天井下地材取付部上であって、前記建物構成部材に向く面に、高さ不動で回転可能に連結される回転部と、を備え、
前記回転部は、前記建物構成部材に向かう軸線に沿って雌ねじが形成されている、
天井吊り金具。
【請求項２】
建物構成部材に天井下地材を取り付けるための天井吊り金具であって、
前記天井下地材に取り付け可能な天井下地材取付部と、
該天井下地材取付部に、高さ不動で回転可能に連結され、前記建物構成部材に向かう軸線に沿って雌ねじが形成された回転部と、
雄ねじを有し、前記回転部に形成された前記雌ねじに一端側から挿入されて係合する軸部と、
該軸部の他端側に取り付けられ、前記建物構成部材に保持される上端取付部と、
前記軸部の前記雄ねじに係合する雌ねじを有し、回転操作によって前記上端取付部との間隔を可変とされているストッパ部材と、
を備える、天井吊り金具。
【請求項３】
前記回転部と前記ストッパ部材との間には、前記回転部の回転を規制するためのナット部が、前記軸部に移動可能に設けられている、請求項２に記載の天井吊り金具。
【請求項４】
前記上端取付部は、前記軸部に対して回動可能に取り付けられている、請求項２又は３に記載の天井吊り金具。
【請求項５】
貫通孔を有する底壁を備える建物構成部材と、
該建物構成部材に天井吊り金具を介して吊り下げ支持する天井下地材とを備え、
前記天井吊り金具は、前記天井下地材に固定された天井下地材取付部と、
該天井下地材取付部に、高さ不動で回転可能に連結され、前記建物構成部材に向かう軸線に沿って雌ねじが形成された回転部と、
雄ねじを有し、前記回転部に形成された前記雌ねじに一端側から挿入されて係合する軸部と、
該軸部の他端側に取り付けられ、前建物構成部材に保持される上端取付部と、
前記軸部の前記雄ねじに係合する雌ねじを有し、回転操作によって前記上端取付部との間隔を可変とされているストッパ部材と、
を備える、天井下地材支持構造。
【発明の詳細な説明】
【技術分野】
【０００１】
本発明は、居室等の建物を構成する部材に天井パネル等の天井下地材を取り付けるための天井吊り金具及び天井下地材支持構造に関する。
【背景技術】
【０００２】
従来より、一般的な居室等の建物を構成する部材として、例えば、柱、梁等の軒先を構成する部材（以下、建物構成部材という）に、天井を固定する部材として、例えば、天井パネル等の天井下地材を取り付けるために、天井吊り金具が用いられている（例えば、特開平０９-２５０２０１号公報参照）。
【０００３】
かかる天井吊り金具は、底壁を備える建物構成部材に天井下地材を取り付けるためのものであって、レールを有し、底壁の幅方向に延びるとともに、一端端に係止片を有するアウター部材と、底壁の幅方向にのみスライド可能かつアウター部材のレールに嵌合可能であり、アウター部材との間で建物構成部材の底壁を挟む庇部を一端側に有するインナー部材と、アウター部材及びインナー部材の側方から、アウター部材に高さ調節可能に垂下する軸部と、該軸部の下端に設けられ、天井下地材を取り付けるための天井下地材取付部と、を備える。
【０００４】
また、この種の天井吊り金具は、アウター部材の係止片とインナー部材の庇部との間隔が狭まる方向へのインナー部材のスライドを許容し、係止片と庇部との間隔が広がる方向へのスライドを阻止するストッパ機構と、該ストッパ機構のスライド阻止機能を解除する解除機構と、を備える。
【０００５】
かかる天井吊り金具を用いて、建物構成部材の底壁に天井下地材を取り付ける場合、まず、ストッパ機構のスライド阻止機能を解除機構によって解除し、アウター部材に対してインナー部材を離間する方向にスライドさせることで、係止片と庇部との間隔を広げる。次に、天井下地材取付部が天井下地材の桟に合うように天井吊り金具を位置決めする。
【０００６】
そして、建物構成部材の底壁をアウター部材の係止片とインナー部材の庇部との間に挿入した状態で、アウター部材の係止片とインナー部材の他端側とを把持して、アウター部材に対してインナー部材を押し込み、係止片と庇部との間隔を狭める。そうすることで、建物構成部材の底壁が、係止片と庇部とで挟みこまれるようになる。
【０００７】
次に、インナー部材がアウター部材に対してスライドできないようになってから、インナー部材の他端部を、別部材としてのハンマーなどで打撃することで、アウター部材に対してインナー部材を嵌合させる。そして、天井下地材取付部に天井下地材を宛がい、釘等によって天井下地材取付部に天井下地材を取り付け固定する。
【０００８】
次に、アウター部材及びインナー部材に対して軸部を軸線方向に移動させて軸部の長さを適宜調整することで、天井下地材取付部に固定された天井下地材の高さを調整する。最後に、アウター部材の上方からねじ留めして天井吊り金具を固定することで、建物構成部材の底壁に天井下地材を取り付ける作業が完了する。
【先行技術文献】
【特許文献】
【０００９】
【特許文献１】特開平０９−２５０２０１号公報
【発明の概要】
【発明が解決しようとする課題】
【００１０】
しかしながら、この種の天井吊り金具では、アウター部材及びインナー部材の側方から、軸部が、アウター部材に高さ調節可能に垂下するようになっている（すなわち、軸部の軸心方向と、アウター部材及びインナー部材による建物構成部材の底壁の挟み込み位置とが、同一軸線上にない）ため、天井吊り金具の天井下地材取付部を天井下地材に取り付ける場合、天井下地材に桟木等の別部材を追加して取り付ける必要があった。
【００１１】
また、この種の天井吊り金具では、インナー部材の他端部をハンマーなどの別部材で打撃することで、アウター部材に対してインナー部材を嵌合させるとともに、アウター部材及びインナー部材に対して軸部を軸線方向に移動させ、軸部の長さを適宜調整することで、天井下地材取付部に固定された天井下地材の高さを調整し、アウター部材の上方からねじ留めして天井吊り金具を固定する必要があるため、作業が煩雑になるといった問題があった。
【００１２】
そこで、本発明は、斯かる実情に鑑み、別部材を必要とせず、建物構成部材に天井下地材を高さ調節可能に容易に取り付けることができる天井吊り金具及び天井下地材支持構造を提供することを目的とする。
【課題を解決するための手段】
【００１３】
本発明に係る天井吊り金具は、建物構成部材に天井下地材を取り付けるための天井吊り金具であって、天井下地材に取り付け可能な天井下地材取付部と、該天井下地材取付部上であって、建物構成部材に向く面に、高さ不動で回転可能に連結される回転部と、を備え、回転部は、建物構成部材に向かう軸線に沿って雌ねじが形成されていることを特徴とする。
【００１４】
上記構成の天井吊り金具によれば、例えば、回転部に形成された雌ねじに係合可能な雄ねじを有する軸部を、雌ねじに係合させながら、回転部を軸部に対して回転させるだけで、天井下地材取付部を軸部の軸線に沿って任意の位置に移動させることができ、回転部の回転操作といった簡単な操作のみで、天井下地材取付部に取り付けられた天井下地材の高さを、容易に調整することができ、作業性を向上させることができる。
【００１５】
また、天井下地材取付部の建物構成部材に向く面と、回転部の建物構成部材に向かう軸線に沿って形成された雌ねじとが、同一軸線上にあるため、天井下地材取付部を天井下地材に取り付ける場合、天井下地材に桟木等の別部材を追加する必要がない。さらに、軸部の軸心方向と、アウター部材及びインナー部材による建物構成部材の底壁の挟み込み位置とが、同一軸線上にない場合に比し、天井吊り金具の強度を十分に確保することができる。
【００１６】
本発明の一態様として、建物構成部材に天井下地材を取り付けるための天井吊り金具であって、天井下地材に取り付け可能な天井下地材取付部と、該天井下地材取付部に、高さ不動で回転可能に連結され、建物構成部材に向かう軸線に沿って雌ねじが形成された回転部と、雄ねじを有し、回転部に形成された雌ねじに一端側から挿入されて係合する軸部と、該軸部の他端側に取り付けられ、建物構成部材に保持される上端取付部と、軸部の雄ねじに係合する雌ねじを有し、回転操作によって上端取付部との間隔を可変とされているストッパ部材と、を備える。
【００１７】
上記構成の天井吊り金具によれば、建物構成部材に天井下地材を取り付ける場合、上端取付部が建物構成部材に保持された状態で、軸部の雄ねじとストッパ部材の雌ねじとを係合させながら、ストッパ部材を軸部に対して回転させることで、ストッパ部材を上端取付部に当接させる位置に移動させることができ、建物構成部材に対して上端取付部を確実に固定することができる。
【００１８】
また、回転部に形成された雌ねじに係合可能な雄ねじを有する軸部を、回転部の雌ねじに係合させながら、回転部を軸部に対して回転させるだけで、回転部に連結された天井下地材取付部を軸部の軸線に沿って任意の位置まで移動させることができる。そのため、回転部の回転操作といった簡単な操作のみで、天井下地材取付部に取り付けられた天井下地材の高さを、容易に調整することができ、作業性を向上させることができる。また、建物構成部材に天井下地材を取り付けた後でも、回転部の回転操作といった簡単な操作のみで、天井下地材取付部に取り付けられた天井下地材の高さを、容易に調整することができる。
【００１９】
また、天井下地材取付部による天井下地材の取り付け位置と、回転部の建物構成部材に向かう軸線に沿って形成された雌ねじとが、同一軸線上にあるため、天井下地材取付部を天井下地材に取り付ける場合、天井下地材に桟木等の別部材を追加する必要がない。さらに、天井下地材取付部による天井下地材の取り付け位置と、回転部の建物構成部材に向かう軸線に沿って形成された雌ねじとが同一軸線上にない場合に比し、天井吊り金具の強度を十分に確保することができる。
【００２０】
本発明の他態様として、回転部とストッパ部材との間には、回転部の回転を規制するためのナット部が、軸部に移動可能に設けられているのが好ましい。
【００２１】
上記構成によれば、軸部に対する回転部の回転を、軸部の軸線に沿って、任意の位置で止めて確実に固定することができる。また、作業者は、回転部の回転がナット部によって規制され、回転部の回転が、軸部の軸線に沿って、任意の位置で止めて確実に固定されていることを目視によって確認することができる。
【００２２】
本発明の別態様として、上端取付部は、軸部に対して回動可能に取り付けられているのが好ましい。
【００２３】
上記構成によれば、上端取付部を軸部に対して回動させることで、軸部の軸線に対する上端取付部の角度を任意の角度に設定することができ、例えば、貫通孔を有する底壁を備えた建物構成部材に上端取付部を取り付ける場合、底壁の貫通孔に上端取付部を挿入しやすくなり、作業性を向上させることができる。
【００２４】
本発明のさらに他の態様として、天井下地材支持構造は、貫通孔を有する底壁を備える建物構成部材と、該建物構成部材に天井吊り金具を介して吊り下げ支持する天井下地材とを備え、天井吊り金具は、天井下地材に固定された天井下地材取付部と、該天井下地材取付部に、高さ不動で回転可能に連結され、建物構成部材に向かう軸線に沿って雌ねじが形成された回転部と、雄ねじを有し、回転部に形成された雌ねじに一端側から挿入されて係合する軸部と、該軸部の他端側に取り付けられ、建物構成部材に保持される上端取付部と、軸部の雄ねじに係合する雌ねじを有し、回転操作によって上端取付部との間隔を可変とされているストッパ部材と、を備える。
【００２５】
上記構成によれば、建物構成部材に天井下地材を取り付ける場合、上端取付部が建物構成部材に保持された状態で、軸部の雄ねじとストッパ部材の雌ねじとを係合させながら、ストッパ部材を軸部に対して回転させることで、ストッパ部材を上端取付部に当接させる位置に移動させることができ、建物構成部材に対して上端取付部を確実に固定することができる。
【００２６】
また、回転部に形成された雌ねじに係合可能な雄ねじを有する軸部を、回転部の雌ねじに係合させながら、回転部を軸部に対して回転させるだけで、回転部に連結された天井下地材取付部を軸部の軸線に沿って任意の位置まで移動させることができる。そのため、回転部の回転操作といった簡単な操作のみで、天井下地材取付部に取り付けられた天井下地材の高さを、容易に調整することができ、作業性を向上させることができる。また、建物構成部材に天井下地材を取り付けた後でも、回転部の回転操作といった簡単な操作のみで、天井下地材取付部に取り付けられた天井下地材の高さを、容易に調整することができる。
【００２７】
また、天井下地材取付部による天井下地材の取り付け位置と、回転部の建物構成部材に向かう軸線に沿って形成された雌ねじとが、同一軸線上にあるため、天井下地材取付部を天井下地材に取り付ける場合、天井下地材に桟木等の別部材を追加する必要がない。さらに、天井下地材取付部による天井下地材の取り付け位置と、回転部の建物構成部材に向かう軸線に沿って形成された雌ねじとが同一軸線上にない場合に比し、天井吊り金具の強度を十分に確保することができる。
【発明の効果】
【００２８】
以上のように、本発明の天井吊り金具によれば、別部材を必要とせず、建物構成部材に天井下地材を高さ調節可能に容易に取り付けることができる、といった優れた効果を奏し得る。また、本発明の天井吊り金具を用いて、別部材を必要とせず、建物構成部材に天井下地材を高さ調節可能に容易に取り付けた天井下地材支持構造を提供することができるといった優れた効果を奏し得る。
【図面の簡単な説明】
【００２９】
【図１】本発明の一実施形態に係る天井吊り金具の概略構成を示す図であって、（ａ）は、正面図、（ｂ）は、側面図を示す。
【図２】本発明の一実施形態に係る天井吊り金具を用いて、建物構成部材に天井下地材を取り付ける作業手順を説明する図である。
【図３】本発明の一実施形態に係る天井吊り金具を用いて、建物構成部材に天井下地材を取り付ける作業手順を説明する図である。
【図４】本発明の一実施形態に係る天井吊り金具を用いて、建物構成部材に天井下地材を取り付ける作業手順を説明する図である。
【図５】本発明の一実施形態に係る天井吊り金具を用いて、建物構成部材に天井下地材を取り付ける作業手順を説明する図である。
【図６】本発明の一実施形態に係る天井吊り金具を用いて、建物構成部材に天井下地材を取り付ける作業手順を説明する図である。
【発明を実施するための形態】
【００３０】
以下、本発明の一実施形態に係る天井吊り金具について、添付図面を参照して説明する。
【００３１】
図１（ａ），（ｂ）に示すように、天井吊り金具１００は、天井を固定する部材としての天井下地材１１０に取り付け可能な天井下地材取付部１０と、該天井下地材取付部１０に、高さ不動で回転可能に連結され、居室や軒先等の建物を構成する部材としての建物構成部材１２０に向かう軸線に沿って雌ねじ２１が形成された回転部２０と、雄ねじ３１を有し、回転部２０に形成された雌ねじ２１に一端側から挿入されて係合する軸部３０と、該軸部３０の他端側に取り付けられ、建物構成部材１２０に保持される上端取付部４０と、軸部３０の雄ねじ３１に係合する雌ねじ５１を有し、回転操作によって上端取付部４０との間隔を可変とされているストッパ部材５０と、を備える。
【００３２】
天井下地材取付部１０は、断面視においてＬ型状に形成されており（図１（ａ）参照）、上面部１１と、該上面部１１の一端側の幅方向両端から上面部１１と交差する方向に間隔をあけて延びる延出部１２，１２と（図１（ｂ）参照）、該延出部１２，１２を連結する連結部１３と、を備える。すなわち、天井下地材取付部１０は、図１（ｂ）に示すように、側面視において下方に開口する略コ字形を呈するように形成されている。
【００３３】
天井下地材取付部１０の上面部１１には、回転部２０に形成された後述する孔部２６に対応する孔部１４が形成されている。
【００３４】
天井下地材取付部１０の延出部１２，１２のそれぞれには、複数の穴部１２ａ・・・が建物構成部材１２０に向けて所定の間隔をあけて形成されている。天井下地材取付部１０の延出部１２，１２のそれぞれに形成された複数の穴部１２ａ・・・を用いて、例えば、ボルト、ナット及び釘等によって、天井下地材取付部１０が天井下地材１１０に取り付け可能となっている。本実施形態においては、天井下地材取付部１０の延出部１２，１２のそれぞれには、２個の穴部１２ａ，１２ａが形成されている。
【００３５】
回転部２０は、略直方体状に形成され、上面部２２、下面部２３、及び上面部２２と下面部２３とを連結する側面部２４・・・を有する。雌ねじ２１は、回転部２０の上面部２２に形成されている。本実施形態においては、回転部２０の一つの側面部には開口部２５が形成されている。上述のように、回転部２０の下面部２３には孔部２６が形成されており、本実施形態においては、天井下地材取付部１０の上面部１１に形成された孔部１４と、回転部２０の下面部２３に形成された孔部２６との位置を合わせ、回転部２０が、天井下地材取付部１０に、かしめピンＰによって高さ不動で回転可能に連結されている。本実施形態においては、回転部２０が、天井下地材取付部１０に、かしめピンＰによって回転可能に連結されているが、これに限定されるものではない。
【００３６】
軸部３０は、回転部２０の雌ねじ２１に挿入される少なくとも一端側の外周面に、回転部２０の雌ねじ２１と係合可能な雄ねじ３１が形成されている。本実施形態においては、軸部３０の外周面の全域に亘って雄ねじ３１が形成されている。回転部２０の雌ねじ２１と、軸部３０の雄ねじ３１とが係合することで、回転部２０が軸部３０に対して回転することによって上下方向に移動可能となっている。軸部３０は、他端側に、後述する上端取付部４０の延出部４２，４２に形成された孔部４３，４３に対応する孔部３２，３２が形成されている。
【００３７】
上端取付部４０は、軸部３０に対して回動可能に取り付けられている。上端取付部４０は、軸部３０の軸線と交差するように延びる上面部４１と、該上面部４１の幅方向の両端から下方に延びる延出部４２，４２と、を備える。
【００３８】
上端取付部４０の上面部４１は略矩形を呈している。上端取付部４０の延出部４２，４２は、断面視において略逆台形状に形成されている。上端取付部４０の延出部４２，４２のそれぞれには、孔部４３，４３が形成されており、上端取付部４０の孔部４３，４３のそれぞれと、軸部３０の他端部に形成された孔部３２，３２のそれぞれとの位置を合わせることによって、上端取付部４０が、ねじＰを用いて軸部３０に回動可能に連結されている。本実施形態においては、上端取付部４０が、ねじＰを用いて軸部３０に連結されているが、これに限定されるものではない。
【００３９】
ストッパ部材５０は、軸部３０の軸線と交差するように延びる上面部５２と、該上面部５２の幅方向の両端から下方に延びる延出部５３，５３と、を備える。上面部５２は略矩形を呈している。ストッパ部材５０の雌ねじ５１は、上面部５２に形成されている。延出部５３，５３の下端は、略円弧状となるように形成されている。ストッパ部材５０の雌ねじ５１と、軸部３０の雄ねじ３１とが係合することで、ストッパ部材５０が、軸部３０に対して高さ調整可能で回転可能となっている。
【００４０】
また、天井吊り金具１００において、回転部２０とストッパ部材５０との間には、回転部２０の回転を規制するためのナット部６０が、軸部３０に移動可能に設けられている。本実施形態においては、ナット部６０として、蝶ナットが使用されている。
【００４１】
ナット部（蝶ナット）６０は、本体部６１と、該本体部６１に連結されたつまみ部６２，６２と、を有する。本体部６１の内周面には、軸部３０の雄ねじ３１と係合可能な雌ねじ６３が形成されている。軸部３０の雄ねじ３１とナット部（蝶ナット）６０の雌ねじ６３とが係合することで、ナット部（蝶ナット）６０が軸部３０に対して高さ調整可能で回転可能となっている。
【００４２】
本実施形態においては、天井下地材取り付け部１０の上面部１１に形成された孔部１４の軸心方向、回転部２０の下面２３に形成された孔部２６の軸心方向、軸部３０の軸心方向、及びストッパ部材５０の上面部５２に形成された雌ねじ５１の軸心方向が、一致するように形成されている。
【００４３】
本実施形態に係る天井吊り金具１００の構成についての説明は以上の通りであり、次に、本実施形態に係る天井吊り金具１００を用いて、建物構成部材１２０に天井下地材１１０を取り付ける作業について、図２〜図６を参照して説明する。
【００４４】
まず、本実施形態の一実施形態に係る天井下地材支持構造２００について、説明する（図６参照）。天井下地材支持構造２００は、柱、梁等の軒先を構成する部材である建物構成部材１２０と、該建物構成部材１２０に本実施形態に係る天井吊り金具１００を介して吊り下げ支持する天井パネル等の天井下地材１１０と、を備える。
【００４５】
建物構成部材１２０は、本実施形態においては、例えば、家屋の屋根トラスに設けられるＣ型鋼１２０であって、貫通孔１２１を有する底壁１２２を備える。
【００４６】
天井下地材１１０は、天井パネルフレーム（採番せず）と、該天井パネルフレームの下面に貼り付けられる天井パネル（採番せず）と、を備える。この種の天井パネルフレームでは、建物のモジュール寸法（例えば９１０ｍｍ）の半幅のグリッド間隔で木製の桟木を格子状に組んだものが多く使用されている。そのため、本実施形態に係る天井吊り金具１００を用いて、屋根トラスのＣ型鋼１２０に天井パネルフレームを取り付ける作業について、先に説明する。なお、本実施形態においては、実施形態に係る天井吊り金具１００を用いて、屋根トラスのＣ型鋼１２０に天井パネルフレームを取り付ける作業について、説明するが、これに限定されるものではなく、一般的な居室等の建物構成部材に天井パネルフレームを取り付ける場合においても、適用可能であることは言うまでもない。
【００４７】
まず、図２に示すように、屋根トラスのＣ型鋼１２０の底壁１２１に対して、天井吊り金具１００を位置決めする。この状態では、上端取付部４０は、軸部３０に対して回動可能のままとなっている。
【００４８】
次に、図３に示すように、上端取付部４０を、Ｃ型鋼１２０の底壁１２１に形成された貫通孔１２２に挿通させ、上端取付部４０を、軸部３０に対して回動させて、Ｃ型鋼１２０の底壁１２１に係止できるようにする。
【００４９】
そして、この状態で、図４に示すように、軸部３０の雄ねじ３１とストッパ部材５０の雌ねじ５１とを係合させながら、ストッパ部材５０を、軸部３０に対して回転させて、ストッパ部材５０の高さを調整し、Ｃ型鋼１２０の底壁１２１に当接するまで移動させる。ストッパ部材５０が回転できなくなると、天井吊り金具１００が、Ｃ型鋼１２０の底壁１２１に固定されるようになる。
【００５０】
次に、図５に示すように、軸部３０の雄ねじ３１と回転部２０の雌ねじ２１とを係合させながら、回転部２０を軸部３０に対して回転させることで、Ｃ型鋼１２０の底壁１２１からの天井下地材取付部１０の高さを、所望の高さになるまで適宜調整する。その後、軸部３０の雄ねじ３１とナット部（蝶ナット）６０の雌ねじ６３とを係合させながら、ナット部（蝶ナット）６０を軸部３０に対して適宜回転させて、本体部６１が回転部２０の上面部２２に当接する高さまで移動させ、回転部２０の回転を規制して留める。
【００５１】
次に、図６に示すように、天井下地材取付部１０に、ねじＰを用いて、天井パネルフレームを取り付ける。そうすることで、本実施形態に係る天井吊り金具１００を用いて、屋根トラスのＣ型鋼１２０に天井パネルフレームを取り付けることができる。その後、天井パネルフレームに天井パネルを取り付けることで、作業が完了する。なお、本実施形態においては、裏天井材取付部１０に、ねじＰを用いて、天井パネルフレームを取り付けるようにしているが、これに限定されるものではない。
【００５２】
以上のように、本実施形態に係る天井吊り金具１００においては、建物構成部材（Ｃ型鋼）１２０に天井下地材１１０を取り付ける場合、建物構成部材（Ｃ型鋼）１２０の底壁１２１の貫通孔１２２に天井吊り金具１００の上端取付部４０を挿入して、上端取付部４０を軸部３０に対して回動させることで、建物構成部材（Ｃ型鋼）１２０の底壁に上端取付部４０を係止させ、建物構成部材（Ｃ型鋼）１２０の底壁１２１に上端取付部４０を保持することができる。
【００５３】
また、上端取付部４０が建物構成部材（Ｃ型鋼）１２０の底壁１２１に保持された状態で、軸部３０の雄ねじ３１とストッパ部材５０の雌ねじ５１とを係合させながら、ストッパ部材５０を軸部３０に対して回転させることで、ストッパ部材５０を上端取付部４０に当接させ、建物構成部材（Ｃ型鋼）１２０の底壁１２１に対して上端取付部４０を確実に固定することができる。
【００５４】
また、回転部２０に形成された雌ねじ２１に係合可能な雄ねじ３１を有する軸部３０を、回転部２０の雌ねじ２１に係合させながら、回転部２０を軸部３０に対して回転させるだけで、回転部２０に連結された天井下地材取付部１０を軸部３０の軸線に沿って任意の高さに移動させることができ、回転部２０の回転操作といった簡単な操作のみで、天井下地材取付部１０に取り付けられた天井下地材１１０の高さを、容易に調整することができ、作業性を向上させることができる。
【００５５】
また、天井下地材取付部１０による天井下地材１１０の取り付け位置と、回転部２０の建物構成部材（Ｃ型鋼）１２０に向かう軸線に沿って形成された雌ねじと２１とが、同一軸線上にあるため、天井吊り金具１００の天井下地材取付部１０を天井下地材１１０に取り付ける場合、天井下地材１１０に桟木等の別部材を追加する必要がない。さらに、天井下地材取付部１０による天井下地材１１０の取り付け位置と、回転部２０の建物構成部材（Ｃ型鋼）１２０に向かう軸線に沿って形成された雌ねじ２１とが同一軸線上にない場合に比し、天井吊り金具１００の強度を十分に確保することができる。
【００５６】
また、回転部２０とストッパ部材５０との間には、回転部２０の回転を規制するためのナット部（蝶ナット）６０が、軸部２０に移動可能に設けられているため、軸部３０の軸線に沿って、回転部２０の回転を、任意の位置で止めて確実に固定することができる。また、作業者は、回転部２０の回転がナット部（蝶ナット）６０によって規制されていることを目視によって確認することができる。
【００５７】
また、上端取付部４０を軸部３０に対して回動させることで、貫通孔１２２を有する底壁１２１を備えた軒先構成部（Ｃ型鋼）１２０に上端取付部４０を取り付ける場合、上端取付部４０を建物構成部材（Ｃ型鋼）１２０の底壁１２１の貫通孔１２２に挿入しやすくなり、作業性を向上させることができる。
【００５８】
尚、本発明の天井吊り金具は、上記実施形態に限定されるものではなく、本発明の要旨を逸脱しない範囲で適宜変更し得ることは勿論のことである。
【００５９】
上記実施形態において天井下地材取付部１０は、断面視においてＬ型状に形成され、側面視において下方に開口する略コ字形を呈するように形成されているが、これに限定されるものではなく、天井下地材取付部１０は、天井下地材１１０の形状や用途に応じて適宜変更可能である。
【００６０】
上記実施形態において、回転部２０は、略直方体状に形成され、上面２２、下面２３、及び上面２２と下面２３とを連結する側面２４・・・を有するように形成されているが、これに限定されるものではなく、天井下地材取付部１０に、高さ不動で回転可能に連結されるような構成であればよい。
【００６１】
上記実施形態において、上端取付部４０の延出部４２，４２は、断面視において略逆台形状に形成されているが、これに限定されるものではなく、建物構成部材の底壁に形成された貫通孔に挿入しやすくかつ係止可能な形状であればよい。
【００６２】
上記実施形態において、ストッパ部材５０は、軸部３０の軸線と交差するように延びる上面部５２と、該上面部５２の長手方向の両端から下方に延びる延出部５３，５３と、を備え、上面部５２は略矩形を呈し、延出部５３，５３の下端は、略円弧状となるように形成されているが、これに限定されるものではなく、軸部３０の雄ねじ３１に係合する雌ねじ４１を有し、回転操作によって上端取付部４０との間隔を可変とされるような構成であればよい。
【００６３】
上記実施形態において、ナット部６０として、蝶ナットが使用されているが、これに限定されるものではなく、種々のナットが使用可能である。
【００６４】
上記実施形態において、軸部３０の軸心と、天井下地材取り付け部１０の上面部１１に形成された孔部１４の軸心、回転部２０の下面２３に形成された孔部２６の軸心、及びストッパ部材５０の上面部５２に形成された雌ねじ５１の軸心とが、一致するように形成されているが、これに限定されるものではない。軸部３０の軸心と、天井下地材取り付け部１０の上面部１１に形成された孔部１４の軸心、回転部２０の下面２３に形成された孔部２５の軸心、及びストッパ部材５０の上面部５２に形成された雌ねじ５１の軸心とが、一致するように形成されていなくてもよい。
【００６５】
上記実施形態において、天井下地材支持構造２００は、建物構成部材（Ｃ型鋼）１２０と、該建物構成部材（Ｃ型鋼）１２０に本実施形態に係る天井吊り金具１００を介して吊り下げ支持する天井パネル等の天井下地材１１０と、を備えるようにしたが、これに限定されるものではなく、種々の建物構成部材及び天井下地材を使用することが可能である。
【産業上の利用可能性】
【００６６】
本発明の天井吊り金具は、建物構成部材に天井下地材を取り付ける場合において、有効に利用される。
【符号の説明】
【００６７】
１０  天井下地材取付部、２０  回転部、２１  雌ねじ、３０  軸部、３１  雄ねじ、４０  上端取付部、５０  ストッパ部材、５１  雌ねじ、１００  天井吊り金具、１１０  天井下地材、１２０  建物構成部材、２００  天井下地材支持構造。
【図１】
2014169573.tif 000003
【図２】
2014169573.tif 000004
【図３】
2014169573.tif 000005
【図４】
2014169573.tif 000006
【図５】
2014169573.tif 000007
【図６】
2014169573.tif 000008